(57)【要約】【課題】実物の本と同様の表表紙画像及び裏表紙画像を取得でき、ひいては、実物の本と同様であり、かつ見栄えが良好な表表紙画像及び裏表紙画像の印刷物を得ることができる画像生成装置、画像出力装置及び画像取得方法を提供する。【解決手段】見開きした書籍の表表紙、背表紙及び裏表紙を含む表紙画像と、見開きした書籍の見開き画像とを読み取り、印刷出力に係る出力画像データを生成する画像生成装置において、開き方向での前記見開き画像の両辺縁間寸法の１／２値を演算し、開き方向での前記表紙画像の両辺縁から前記１／２値までの画像を各々抽出して、表表紙画像及び裏表紙画像として取得する。【選択図】図１２
2016005096.tif 000002
【特許請求の範囲】
【請求項１】
見開きした書籍の表表紙、背表紙及び裏表紙を含む表紙画像と、見開きした書籍の見開き画像とを読み取り、印刷出力に係る出力画像データを生成する画像生成装置において、
開き方向での前記見開き画像の両辺縁間寸法の１／２値を演算する演算手段と、
開き方向での前記表紙画像の両辺縁から前記１／２値までの画像を各々抽出して、表表紙画像及び裏表紙画像を取得する表紙画像取得手段と
を備えることを特徴とする画像生成装置。
【請求項２】
前記表紙画像取得手段は、前記表紙画像から前記表表紙画像及び裏表紙画像を除いて背表紙画像を取得するように構成されていることを特徴とする請求項１に記載の画像生成装置。
【請求項３】
前記表紙画像を印刷出力すべきシートの大きさを記憶する記憶部と、
前記シートの大きさ及び見開き方向での前記背表紙画像の寸法に基づいて、前記背表紙画像の要否を判定する判定手段と、
該判定手段の判定結果に基づき、前記表紙画像に係る出力画像データを生成する表紙画像生成手段と
を備えることを特徴とする請求項２に記載の画像生成装置。
【請求項４】
表表紙の見返しを含む見開き画像、及び、裏表紙の見返しを含む見開き画像を見開き方向にて二分して、表表紙の見返し及び裏表紙の見返しの画像を取得する見返し取得手段と、
前記判定手段が前記背表紙画像を必要であると判断した場合、前記背表紙画像の寸法だけ２つの前記見返しの画像を該見開き方向に隔てて、見返しの画像に係る出力画像データを生成する見返し画像生成手段と
を備えることを特徴とする請求項３に記載の画像生成装置。
【請求項５】
前記判定手段が前記背表紙画像を不要であると判断した場合、前記見返し画像生成手段は２つの前記見返しの画像を見開き方向にて繋いで、見返しの画像に係る出力画像データを生成するように構成されていることを特徴とする請求項４に記載の画像生成装置。
【請求項６】
見開き画像の読み取りが複数回行なわれた場合、読み取られた複数の見開き画像に対して前記１／２値の平均値を算出する平均値算出手段を備えることを特徴とする請求項１から５の何れかに記載の画像生成装置。
【請求項７】
請求項１から６の何れかに記載の画像生成装置と、
該画像生成装置によって、生成された出力画像データに基づいて、シート上に画像を出力する画像出力部と
を備えることを特徴とする画像出力装置。
【請求項８】
見開きした書籍の表表紙、背表紙及び裏表紙を含む表紙画像と、見開きした書籍の見開き画像とを読み取り、印刷出力に係る出力画像データを生成する画像生成装置にて、該印刷出力すべき画像を収得する画像取得方法において、
開き方向での前記見開き画像の両辺縁間寸法の１／２値を演算するステップと、
開き方向での前記表紙画像の両辺縁から前記１／２値までの画像を各々抽出して、表表紙画像及び裏表紙画像を取得するステップと
を含むことを特徴とする画像取得方法。
【発明の詳細な説明】
【技術分野】
【０００１】
本発明は、見開きした書籍の表表紙、背表紙及び裏表紙を含む表紙画像と、見開きした書籍の見開き画像とを読み取り、印刷出力に係る出力画像データを生成する画像生成装置及び該画像生成装置を備える画像出力装置、並びに該画像生成装置を用いる画像取得方法に関する。
【背景技術】
【０００２】
従来、画像を印刷するデジタル複合機等では、書籍の見開き面及び表表紙面・裏表紙面の画像を読み取り、斯かる画像に基づいて印刷を行ういわゆるブック複製モードを備えている。また、このようなブック複製モードにおいては、表表紙及び裏表紙面を読み取った後、最初の頁の見開き面から順次読み取りを行う手順を実行する。
【０００３】
また、特許文献１においては、書籍の見開き面の画像データが、副走査方向中央に位置するセンターラインにて、副走査方向前半側の前半画像データと、副走査方向後半側の後半画像データとに２分割され、前半画像データの先端から後半画像データの後端までの長さが複写紙の長さとなるように、後半画像データが副走査方向後半側にずらされて、副走査方向の中央部分が無画像領域となる画像データが形成されることにより、複写紙の長辺方向中央のラインで複写紙上の画像が２分割されることになり見映えを良くする画像処理装置が開示されている。
【先行技術文献】
【特許文献】
【０００４】
【特許文献１】特開２００６−１８６９４６号公報
【発明の概要】
【発明が解決しようとする課題】
【０００５】
しかしながら、上述したような特許文献１に係る画像処理装置では、見開き面の画像を印刷時にどのように画像配置するかについては開示されているものの、書籍の表表紙、裏表紙面等を読み取る場合の処理については開示されておらず、対応することが出来ない。特に背表紙を含む書籍の表紙画像の読み取りにおいては、特許文献１に係る画像処理装置の処理を適用しても、背表紙が分割で印刷される結果となり、良好な印刷物を得ることが出来ないという問題がある。
【０００６】
本発明は、斯かる事情に鑑みてなされたものであり、その目的とするところは、見開きした書籍の表表紙、背表紙及び裏表紙を含む表紙画像と、見開きした書籍の見開き画像とを読み取り、印刷出力に係る出力画像データを生成する画像生成装置において、開き方向での前記見開き画像の両辺縁間寸法の１／２値を演算する演算手段と、開き方向での前記表紙画像の両辺縁から前記１／２値までの画像を各々抽出して、表表紙画像及び裏表紙画像を取得する表紙画像取得手段とを備えることにより、実物の本と同様の表表紙画像及び裏表紙画像を取得でき、ひいては実物の本と同様であり、かつ見栄えが良好な表表紙画像及び裏表紙画像の印刷物を得ることができる画像生成装置、画像出力装置及び画像取得方法を提供するところにある。
【課題を解決するための手段】
【０００７】
本発明に係る画像生成装置は、見開きした書籍の表表紙、背表紙及び裏表紙を含む表紙画像と、見開きした書籍の見開き画像とを読み取り、印刷出力に係る出力画像データを生成する画像生成装置において、開き方向での前記見開き画像の両辺縁間寸法の１／２値を演算する演算手段と、開き方向での前記表紙画像の両辺縁から前記１／２値までの画像を各々抽出して、表表紙画像及び裏表紙画像を取得する表紙画像取得手段とを備えることを特徴とする。
【０００８】
本発明に係る画像生成装置は、前記表紙画像取得手段は、前記表紙画像から前記表表紙画像及び裏表紙画像を除いて背表紙画像を取得するように構成されていることを特徴とする。
【０００９】
本発明に係る画像生成装置は、前記表紙画像を印刷出力すべきシートの大きさを記憶する記憶部と、前記シートの大きさ及び見開き方向での前記背表紙画像の寸法に基づいて、前記背表紙画像の要否を判定する判定手段と、該判定手段の判定結果に基づき、前記表紙画像に係る出力画像データを生成する表紙画像生成手段とを備えることを特徴とする。
【００１０】
本発明に係る画像生成装置は、表表紙の見返しを含む見開き画像、及び、裏表紙の見返しを含む見開き画像を見開き方向にて二分して、表表紙の見返し及び裏表紙の見返しの画像を取得する見返し取得手段と、前記判定手段が前記背表紙画像を必要であると判断した場合、前記背表紙画像の寸法だけ２つの前記見返しの画像を該見開き方向に隔てて、見返しの画像に係る出力画像データを生成する見返し画像生成手段とを備えることを特徴とする。
【００１１】
本発明に係る画像生成装置は、前記判定手段が前記背表紙画像を不要であると判断した場合、前記見返し画像生成手段は２つの前記見返しの画像を見開き方向にて繋いで、見返しの画像に係る出力画像データを生成するように構成されていることを特徴とする。
【００１２】
本発明に係る画像生成装置は、見開き画像の読み取りが複数回行なわれた場合、読み取られた複数の見開き画像に対して前記１／２値の平均値を算出する平均値算出手段を備えることを特徴とする。
【００１３】
本発明に係る画像出力装置は、前述の発明の何れか一つに記載の画像生成装置と、該画像生成装置によって、生成された出力画像データに基づいて、シート上に画像を出力する画像出力部とを備えることを特徴とする。
【００１４】
本発明に係る画像取得方法は、見開きした書籍の表表紙、背表紙及び裏表紙を含む表紙画像と、見開きした書籍の見開き画像とを読み取り、印刷出力に係る出力画像データを生成する画像生成装置にて、該印刷出力すべき画像を収得する画像取得方法において、開き方向での前記見開き画像の両辺縁間寸法の１／２値を演算するステップと、開き方向での前記表紙画像の両辺縁から前記１／２値までの画像を各々抽出して、表表紙画像及び裏表紙画像を取得するステップとを含むことを特徴とする。
【発明の効果】
【００１５】
本発明によれば、実物の本と同様の表表紙画像及び裏表紙画像を取得でき、ひいては、実物の本と同様であり、かつ見栄えが良好な表表紙画像及び裏表紙画像の印刷物を得ることができる。
【図面の簡単な説明】
【００１６】
【図１】本発明の実施の形態１に係るデジタルカラー複合機の構成を示す縦断面図である。
【図２】本発明の実施の形態１に係るデジタルカラー複合機の装置全体の各部を制御する制御系の機能ブロック図である。
【図３】本発明の実施の形態１に係るデジタルカラー複合機の操作パネルの一例を示す例示図である。
【図４】本発明の実施の形態１に係るデジタルカラー複合機の初期画面の一例を示す例示図である。
【図５】本発明の実施の形態１に係るデジタルカラー複合機のコピーに係る操作画面の一例を示す例示図である。
【図６】本発明の実施の形態１に係るデジタルカラー複合機における、表紙画像及び見開き画像の読み取りを説明する説明図である。
【図７】本発明の実施の形態１に係るデジタルカラー複合機の印刷画像準備制御ユニットの要部構成を示す機能ブロック図である。
【図８】本発明の実施の形態１に係るデジタルカラー複合機において、ブック複製における、本の読み取り方法を説明する説明図である。
【図９】本発明の実施の形態１に係るデジタルカラー複合機において、本の読み取りの際、印刷画像準備制御ユニットで実行される画像処理を説明するフローチャートである。
【図１０】本発明の実施の形態１に係るデジタルカラー複合機において、本の読み取りの際、印刷画像準備制御ユニットで実行される画像処理を説明するフローチャートである。
【図１１】開き方向における、見開き画像及び表紙画像の寸法を比較して示す図である。
【図１２】本発明の実施の形態１に係るデジタルカラー複合機において、本の読み取り完了後、印刷画像準備制御ユニットで実行される表紙画像に係る出力画像データの生成を説明するフローチャートである。
【図１３】本発明の実施の形態１に係るデジタルカラー複合機において、印刷画像準備制御ユニットで実行される表紙画像に係る出力画像データの生成を概念的に説明する説明図である。
【図１４】本発明の実施の形態１に係るデジタルカラー複合機において、印刷画像準備制御ユニットで実行される表紙画像に係る出力画像データの生成を概念的に説明する説明図である。
【図１５】本発明の実施の形態２に係るデジタルカラー複合機において、本の読み取り完了後、印刷画像準備制御ユニットで実行される表紙画像に係る出力画像データの生成を説明するフローチャートである。
【図１６】表紙用紙及び定形用紙の大きさ関係を概念的に示す概念図である。
【図１７】本発明の実施の形態２に係るデジタルカラー複合機において、印刷画像準備制御ユニットで実行される表紙画像に係る出力画像データの生成を概念的に説明する説明図である。
【図１８】本発明の実施の形態２に係るデジタルカラー複合機において、印刷画像準備制御ユニットで実行される表紙画像に係る出力画像データの生成を概念的に説明する説明図である。
【発明を実施するための形態】
【００１７】
以下、本発明に係る画像生成装置及び画像出力装置を、いわゆるデジタルカラー複合機に適用した場合を例として、図面に基づいて詳述する。
【００１８】
（実施の形態１）
図１は本発明の実施の形態１に係るデジタルカラー複合機の構成を示す縦断面図である。デジタルカラー複合機１の上面には、原稿台１１１及び操作パネル１０３（後述する）が設けられ、デジタルカラー複合機１の内部に画像読取部１１０及び画像出力部２１０が設けられている。
【００１９】
原稿台１１１の上方には該原稿台１１１に対して開閉可能な状態で支持され、原稿台１１１面に対して所定の位置関係をもって両面自動原稿送り装置（RADF；Reversing Automatic Document Feeder）１１２が装着されている。
【００２０】
更に、両面自動原稿送り装置１１２は、まず、原稿の一方の面が原稿台１１１の所定位置において画像読取部１１０に対向するよう原稿を搬送しながら、画像の読み取りを行い、この一方の面についての画像読み取りが終了した後に、他方の面が原稿台１１１の所定位置において画像読取部１１０に対向するよう原稿を反転し原稿台１１１の所定位置に向かって搬送するように構成されている。そして、両面自動原稿送り装置１１２は、１枚の原稿について両面の画像読み取りを行いながら、この原稿を排出し、次の原稿についても同様に両面搬送動作を実行する。以上の原稿の搬送及び表裏反転の動作は、複合機全体の動作に関連して制御されるものである。
【００２１】
画像読取部１１０は、両面自動原稿送り装置１１２により原稿台１１１上の所定位置に搬送される原稿の画像を読み取るために、原稿台１１１の下方に配置されている。また、画像読取部１１０は該原稿台１１１の下面に沿って平行に往復移動する（原稿台１１１上に置かれた原稿を読み取る場合）原稿走査体１１３、１１４と、光学レンズ１１５と、光電変換素子であるＣＣＤラインセンサ１１６とを有している。
【００２２】
原稿走査体１１３は第１の走査ユニットであり、原稿走査体１１４は第２の走査ユニットである。第１の走査ユニット１１３は原稿画像表面を露光する露光ランプと、原稿からの反射光像を所定の方向に向かって偏向する第１ミラーとを有し、原稿台１１１上に原稿が置かれた場合には、原稿台１１１の下面に対して一定の距離を保ちながら所定の走査速度で平行に往復移動するものである。また、両面自動原稿送り装置１１２にて原稿が搬送され原稿を読み取る場合には、所定位置で停止している。第２の走査ユニット１１４は、第１の走査ユニット１１３の第１ミラーにより偏向された原稿からの反射光像をさらに所定の方向に向かって偏向する第２及び第３ミラーを有し、原稿台１１１上に原稿が置かれた場合には、第１の走査ユニット１１３と一定の速度関係を保って平行に往復移動するものである。
【００２３】
光学レンズ１１５は、第２の走査ユニット１１４の第３ミラーにより偏向された原稿からの反射光像を縮小し、縮小された光像をＣＣＤラインセンサ１１６上の所定位置に結像させるものである。
【００２４】
ＣＣＤラインセンサ１１６は、結像された光像を順次光電変換して電気信号として出力するものである。ＣＣＤラインセンサ１１６は、白黒画像あるいはカラー画像を読み取り、Ｒ(赤)、Ｇ(緑)、Ｂ(青)の各色成分に色分解したラインデータを出力することのできる３ラインのカラーＣＣＤである。このＣＣＤラインセンサ１１６により電気信号に変換された原稿画像情報は、さらに、画像処理部に転送されて所定の画像データ処理が施される。
【００２５】
画像出力部２１０の下方には、用紙トレイ内に積載収容されている用紙(記録媒体)Ｐを１枚ずつ分離して画像出力部２１０に向かって供給する給紙機構２１１が設けられている。そして１枚ずつ分離供給された用紙Ｐは、画像出力部２１０の手前に配置された一対のレジストローラ２１２によりタイミングが制御されて画像出力部２１０に搬送される。さらに、片面に画像が形成された用紙Ｐは、画像出力部２１０の画像形成にタイミングを合わせて画像出力部２１０に再供給搬送される。
【００２６】
また、画像出力部２１０の下方には、転写搬送ベルト機構２１３が配置されている。転写搬送ベルト機構２１３は、駆動ローラ２１４と従動ローラ２１５との間に略平行に伸びるように張架された転写搬送ベルト２１６に用紙Ｐを静電吸着させて搬送するように構成されている。そして、転写搬送ベルト２１６の下側に近接して、パターン画像検出ユニットが設けられている。
【００２７】
さらに、用紙搬送路における転写搬送ベルト機構２１３の下流側には、用紙Ｐ上に転写形成されたトナー像を用紙Ｐ上に定着させるための定着装置２１７が配置されている。この定着装置２１７の一対の定着ローラ間を通過した用紙Ｐは、搬送方向切り換えゲート２１８を経て、排出ローラ２１９によりデジタルカラー複合機１の外壁に取り付けられている排紙トレイ２２０上に排出される。
【００２８】
切り換えゲート２１８は、定着後の用紙Ｐの搬送経路を、デジタルカラー複合機１へ用紙Ｐを排出する経路と、画像出力部２１０に向かって用紙Ｐを再供給する経路との間で選択的に切り換えるものである。切り換えゲート２１８により再び画像出力部２１０に向かって搬送方向が切り換えられた用紙Ｐは、スイッチバック搬送経路２２１を介して表裏反転された後、画像出力部２１０へと再度供給される。
【００２９】
また、画像出力部２１０における転写搬送ベルト２１６の上方には、転写搬送ベルト２１６に近接して、第１の画像形成ステーションＰａ、第２の画像形成ステーションＰｂ、第３の画像形成ステーションＰｃ、及び第４の画像形成ステーションＰｄが、用紙搬送経路上流側から順に並設されている。
【００３０】
転写搬送ベルト２１６は駆動ローラ２１４によって、図１において矢印Ｚで示す方向に摩擦駆動され、前述したように給紙機構２１１を通じて給送される用紙Ｐを担持し、用紙Ｐを画像形成ステーションＰａ〜Ｐｄへと順次搬送する。
【００３１】
各画像ステーションＰａ〜Ｐｄは、実質的に同一の構成を有している。各画像ステーションＰａ、Ｐｂ、Ｐｃ、Ｐｄは、図１に示す矢印Ｆ方向に回転駆動される感光体ドラム２２２ａ、２２２ｂ、２２２ｃ、及び２２２ｄをそれぞれ含んでいる。
【００３２】
各感光体ドラム２２２ａ〜２２２ｄの周辺には、感光体ドラム２２２ａ〜２２２ｄをそれぞれ一様に帯電する帯電器２２３ａ、２２３ｂ、２２３ｃ、２２３ｄと、感光体ドラム２２２ａ〜２２２ｄ上に形成された静電潜像をそれぞれ現像する現像装置２２４ａ、２２４ｂ、２２４ｃ、２２４ｄと、現像された感光体ドラム２２２ａ〜２２２ｄ上のトナー像を用紙Ｐへ転写する転写用放電器２２５ａ、２２５ｂ、２２５ｃ、２２５ｄと、感光体ドラム２２２ａ〜２２２ｄ上に残留するトナーを除去するクリーニング装置２２６ａ、２２６ｂ、２２６ｃ、２２６ｄとが感光体ドラム２２２ａ〜２２２ｄの回転方向に沿って順次配置されている。
【００３３】
また、各感光体ドラム２２２ａ〜２２２ｄの上方には、レーザビームスキャナユニット２２７ａ、２２７ｂ、２２７ｃ、２２７ｄがそれぞれ設けられている。レーザビームスキャナユニット２２７ａ〜２２７ｄは、画像データに応じて変調されたドット光を発する半導体レーザ素子(図示せず)、半導体レーザ素子からのレーザビームを主走査方向に偏向させるためのポリゴンミラー（偏向装置）２４０ａ〜ｄと、ポリゴンミラー２４０ａ〜ｄにより偏向されたレーザビームを感光体ドラム２２２ａ〜２２２ｄ表面に結像させるためのｆθレンズ２４１ａ〜ｄ及びミラー２４２ａ〜ｄ、２４３ａ〜ｄなどから構成されている。
【００３４】
レーザビームスキャナ２２７ａにはカラー原稿画像の黒色成分像に対応する画素信号が、レーザビームスキャナ２２７ｂにはカラー原稿画像のシアン色成分像に対応する画素信号が、レーザビームスキャナ２２７ｃにはカラー原稿画像のマゼンタ色成分像に対応する画素信号が、そして、レーザビームスキャナ２２７ｄにはカラー原稿画像のイエロー色成分像に対応する画素信号がそれぞれ入力される。
【００３５】
これにより色変換された原稿画像情報に対応する静電潜像が各感光体ドラム２２２ａ〜２２２ｄ上に形成される。そして、現像装置２２４ａには黒色のトナーが、現像装置２２４ｂにはシアン色のトナーが、現像装置２２４ｃにはマゼンタ色のトナーが、現像装置２２４ｄにはイエロー色のトナーがそれぞれ収容されており、感光体ドラム２２２ａ〜２２２ｄ上の静電潜像は、これら各色のトナーにより現像される。これにより、画像出力部２１０にて色変換された原稿画像情報が各色のトナー像として再現される。
【００３６】
また、第１の画像形成ステーションＰａと給紙機構２１１との間には用紙吸着用帯電器２２８が設けられており、この用紙吸着用帯電器２２８は転写搬送ベルト２１６の表面を帯電させ、給紙機構２１１から供給された用紙Ｐは、転写搬送ベルト２１６上に確実に吸着させた状態で第１の画像形成ステーションＰａから第４の画像形成ステーションＰｄの間をずれることなく搬送させる。
【００３７】
一方、第４の画像ステーションＰｄと定着装置２１７との間で駆動ローラ２１４のほぼ真上部には除電器２２９が設けられている。この除電器２２９には搬送ベルト２１６に静電吸着されている用紙Ｐを転写搬送ベルト２１６から分離するための交流電流が印加されている。
【００３８】
このようなデジタルカラー複合機１においては、用紙Ｐとしてカットシート状の紙が使用される。この用紙Ｐは、給紙カセットから送り出されて給紙機構２１１の給紙搬送経路のガイド内に供給されると、その用紙Ｐの先端部分がセンサ（図示せず）にて検知され、このセンサから出力される検知信号に基づいて一対のレジストローラ２１２により一旦停止される。
【００３９】
そして、用紙Ｐは各画像ステーションＰａ〜Ｐｄとタイミングをとって図１の矢印Ｚ方向に回転している転写搬送ベルト２１６上に送られる。このとき転写搬送ベルト２１６には前述したように吸着用帯電器２２８により所定の帯電が施されているので、用紙Ｐは、各画像ステーションＰａ〜Ｐｄを通過する間、安定して搬送供給される。
【００４０】
各画像ステーションＰａ〜Ｐｄにおいては、各色のトナー像が、それぞれ形成され、転写搬送ベルト２１６により静電吸着されて搬送される用紙Ｐの支持面上で重ね合わされる。第４の画像ステーションＰｄによる画像の転写が完了すると、用紙Ｐは、その先端部分から順次、除電用放電器により転写搬送ベルト２１６上から剥離され、定着装置２１７へと導かれる。最後に、トナー画像が定着された用紙Ｐは、用紙排出口(図示せず)から排紙トレイ２２０上へと排出される。
【００４１】
なお、以上ではレーザビームスキャナユニット２２７ａ〜２２７ｄによって、レーザビームを走査して露光することにより、感光体への光書き込みを行なうことについて説明した。しかし、レーザビームスキャナユニットの代わりに、発光ダイオードアレイと結像レンズアレイからなる書き込み光学系（ＬＥＤヘッド）を用いても良い。ＬＥＤヘッドはレーザビームスキャナユニットに比べ、サイズも小さく、また可動部分がなく無音である。よって、複数個の光書き込みユニットを必要とするタンデム方式のデジタルカラー複合機などの画像形成装置では、好適に用いることができる。
【００４２】
図２は本発明の実施の形態１に係るデジタルカラー複合機１の装置全体の各部を制御する制御系の機能ブロック図である。ＲＡＤＦ制御ユニット４０、スキャナ制御ユニット４１、印刷画像準備制御ユニット４４、印刷画像生成制御ユニット４５、用紙トレイ制御ユニット４６、及び後処理装置制御ユニット４７は、ＣＰＵ（図示せず）によりその機能を実現させるものとすることができる。
【００４３】
印刷画像準備制御ユニット４４は、スキャナ制御ユニット４１（画像読取部１１０の制御部）、画像メモリ４９、画像データ出力部５１（レーザビームスキャナユニット２２７ａ〜２２７ｄの制御部）、画像データ蓄積用のハードディスク５０など、デジタルカラー複合機１を構成する印刷画像準備用の各ユニットをシーケンス制御により管理すると共に、フィルタ処理、変倍処理、マスキング処理、ガンマ処理などの画像処理を行う。また、印刷画像生成制御ユニット４５と通信を行い、連携することで印刷ジョブの実行を行っている。
【００４４】
さらに印刷画像生成制御ユニット４５は、用紙トレイ制御ユニット４６（給紙機構２１１の制御部）、後処理装置制御ユニット４７と相互通信可能な状態で接続されており、エンジン負荷４８のセンサを入力し、モーター等を出力制御し、各所を統轄的にシーケンス制御することで、印刷画像（以下、出力画像データともいう。）を生成するように動作している。
【００４５】
スキャナ制御ユニット４１は、ＣＣＤラインセンサ１１６から原稿画像信号を受け取り、印刷画像準備制御ユニット４４に送るともに、両面自動原稿送り装置（ＲＡＤＦ）と通信し、原稿送り制御を行わせる。また、スキャナ制御ユニット４１は、画像読取部１１０のモーター、ソレノイド等からなるスキャナ負荷関係４２に対するシーケンス制御を行うための制御信号を出力するとともに、操作基板ユニット４３（操作パネル１０３）と通信を行って、操作状況のモニタ又は各種の表示制御を行う。
【００４６】
また、ハードディスク５０は、生成された出力画像データの印刷に係る用紙の大きさを記憶している。より詳しくは、デジタルカラー複合機１は、後述する見開きの画像に係る出力画像データの印刷に用いられる通常の定形用紙が収納された用紙トレイと、後述する表紙画像に係る出力画像データの印刷に用いられる表紙用紙が収納された用紙トレイとを備えている。ハードディスク５０は、これら用紙トレイの定形用紙及び表紙用紙の大きさを記憶している。
【００４７】
以下、デジタルカラー複合機１における処理の流れを両面自動原稿送り装置１１２を使用したコピーの場合を例にとり説明する。図３は本発明の実施の形態１に係るデジタルカラー複合機１の操作パネル１０３の一例を示す例示図であり、図４は本発明の実施の形態１に係るデジタルカラー複合機１の初期画面の一例を示す例示図であり、図５は本発明の実施の形態１に係るデジタルカラー複合機のコピーに係る操作画面の一例を示す例示図である。
【００４８】
まず、ユーザはデジタルカラー複合機１の両面自動原稿送り装置１１２に原稿を載置し、操作パネル１０３の表示部に表示された初期画面のコピーモードキー２７を押下する。これによって、図４の初期画面から図５のコピーに係る操作画面に切り替わり、ユーザはテンキー２１にてコピー枚数を適宜設定し、コピー開始キー２６を操作してコピースタートを実行する。
【００４９】
この際、スキャナ制御ユニット４１は、画像読取部１１０の第１の走査ユニット１１３を両面自動原稿送り装置１１２から搬送される原稿を読み取るための所定位置へ移動させ、両面自動原稿送り装置１１２により搬送される原稿の読み取りを開始する。
【００５０】
ＣＣＤラインセンサ１１６では、それを色分解してＲＧＢのアナログ画像信号を得ている。さらにそのアナログ画像信号に対して、スキャナ制御ユニット４１でデジタル信号への変換を行っている。スキャナ制御ユニット４１に送られ、デジタル信号に変換された画像データは、印刷画像準備制御ユニット４４へ送られ、画像メモリ４９へ格納される。また、画像メモリ４９へ格納された画像データは順次画像蓄積手段であるハードディスク５０へ一旦格納される。それと同時に、印刷画像準備制御ユニット４４は、印刷のための元画像データ（画像処理前）が格納されたことを順次印刷画像生成制御ユニット４５へ通知する。
【００５１】
印刷画像生成制御ユニット４５は、印刷を行うための画像データ要求を印刷画像準備制御ユニット４４に対し順次行い、印刷画像準備制御ユニット４４は、要求された画像データをハードディスク５０から順次読み出し、画像メモリ４９へ格納後、フィルタ処理、変倍処理、マスキング処理、ガンマ処理、多値化処理という順に画像処理を行った後、画像データ出力部５１へ印刷用の画像データの転送を行った後、印刷画像生成制御ユニット４５へ印刷を行うための出力画像データが転送完了したことを通知する。
【００５２】
印刷画像生成制御ユニット４５は、印刷画像準備制御ユニット４４からの印刷画像データの転送完了の通知を受け、印刷を開始する。画像出力部２１０の印刷処理スピードが、画像読取部１１０の原稿読み取り速度より遅くなる場合においては、ハードディスク５０に読み取られた画像データが格納されて行くだけで、印刷処理に伴って、順次画像データがハードディスク５０から読み出され、画像処理された後に印刷が行われることになる。
【００５３】
画像出力部２１０による１部目の印刷が終了したならば、２部目以降の印刷もハードディスク５０に蓄積された画像データを使って行う。
【００５４】
また、印刷画像準備制御ユニット４４は、後述するブック複製における表紙印刷に係る出力画像データを生成する。より詳しくは、画像読取部１１０によって読み取られた本の表紙画像に対して所定の処理を施して、斯かる表紙画像に対応する出力画像データを生成する。
【００５５】
図６は本発明の実施の形態１に係るデジタルカラー複合機における、表紙画像及び見開き画像の読み取りを説明する説明図である。本発明の実施の形態１に係るデジタルカラー複合機１は、いわゆるブック複製の機能を有している。デジタルカラー複合機１においては、複製すべき本を見開きした状態にて、表紙側の表紙画像を読み取り（図６中、矢印Ａ方向）、また、該本の中身の見開き画像を読み取り（図６中、矢印Ｂ方向）、前記表紙画像及び見開き画像に基づき、印刷に係る出力画像データを生成する。前記表紙画像には、表表紙、背表紙及び裏表紙の画像が含まれる。
【００５６】
すなわち、前記表紙画像に係る出力画像データ、及び、前記見開き画像に係る出力画像データに基づいて、前記表紙用紙及び定形用紙に印刷が行われ、印刷された印刷物に、例えば、中綴じ処理を施すことにより、ブック複製が行われる。
【００５７】
図７は本発明の実施の形態１に係るデジタルカラー複合機１の印刷画像準備制御ユニット４４の要部構成を示す機能ブロック図である。印刷画像準備制御ユニット４４は、演算部４４１と、表紙画像取得部４４２と、判定部４４３と、表紙画像生成部４４４と、見返し取得部４４５と、見返し画像生成部４４６と、平均値算出部４４７とを有している。
【００５８】
演算部４４１は、開き方向での前記見開き画像の両辺縁間寸法の１／２値を演算する。すなわち、図６中、矢印Ｂ方向にて読み取られた見開き画像から、開き方向（図６参照）での両辺縁間の寸法を測り、該寸法の１／２値を算出する。
【００５９】
表紙画像取得部４４２は、開き方向での前記表紙画像の両辺縁から前記１／２値までの画像を各々抽出することにより、表表紙に対応する表表紙画像、及び、裏表紙に対応する裏表紙画像を取得する。すなわち、表紙画像取得部４４２は、図６中、矢印Ａ方向にて読み取られた表紙画像の一の辺縁から、前記１／２値までの範囲に係る画像を抽出することにより、前記表表紙画像を取得する。また、表紙画像取得部４４２は、図６中、矢印Ａ方向にて読み取られた表紙画像の他の辺縁から、前記１／２値までの範囲に係る画像を抽出することにより、前記裏表紙画像を取得する。
【００６０】
また、表紙画像取得部４４２は、前記表紙画像から前記表表紙画像及び裏表紙画像を除くことにより、背表紙に対応する背表紙画像を取得する。このように表紙画像取得部４４２によって取得された表表紙画像、裏表紙画像及び背表紙画像は、ハードディスク５０に一時的に記憶される。
【００６１】
判定部４４３は、前記表紙画像に係る出力画像データの生成において、前記背表紙画像の要否を判定する。すなわち、判定部４４３は、ハードディスク５０が記憶している前記表紙用紙の大きさと、見開き方向での前記背表紙画像の寸法（以下、単に、背表紙画像の寸法という。）とに基づいて、斯かる判定を行う。一般に、表紙用紙の大きさは一定であるのに対し、前記背表紙画像の寸法は大幅に変化することから、斯かる背表紙画像の寸法が非常に大きい場合、判定部４４３は前記背表紙画像が不要であると判定する。
【００６２】
表紙画像生成部４４４は、判定部４４３の判定結果に基づき、前記表紙画像に係る出力画像データを生成する。すなわち、判定部４４３によって前記背表紙画像が必要であると判定された場合、表紙画像生成部４４４は前記表表紙画像、背表紙画像及び裏表紙画像を含む表紙画像に係る出力画像データを生成する。また、判定部４４３によって前記背表紙画像が不要であると判定された場合、表紙画像生成部４４４は前記表表紙画像及び裏表紙画像のみを含む表紙画像に係る出力画像データを生成する。
【００６３】
見返し取得部４４５は、読み取られた表表紙の裏側の見返しを含む見開き画像と、裏表紙の裏側の見返しを含む見開き画像とから表表紙の見返し及び裏表紙の見返しの画像を取得する。すなわち、見返し取得部４４５は、表表紙の見返しを含む見開き画像を見開き方向にて二分して表表紙の見返しの画像（以下、表見返し画像という。）を取得し、裏表紙の裏側の見返しを含む見開き画像を見開き方向にて二分して裏表紙の見返しの画像（以下、裏見返し画像という。）を取得する。
【００６４】
見返し画像生成部４４６は、前記表見返し画像及び裏見返し画像からなる見返しの画像に係る出力画像データを生成する。例えば、判定部４４３が前記背表紙画像を必要であると判断した場合、見返し画像生成部４４６は、前記背表紙画像の寸法だけ表見返し画像及び裏見返し画像を見開き方向に隔てて、見返しの画像に係る出力画像データを生成する。また、判定部４４３が前記背表紙画像を不要であると判断した場合、見返し画像生成部４４６は、表見返し画像及び裏見返し画像を見開き方向にて繋いで、見返しの画像に係る出力画像データを生成する。
【００６５】
また、平均値算出部４４７は、画像読取部１１０が複数回に亘って見開き画像の読み取りを行った場合、読み取られた複数の見開き画像に対して前記１／２値の平均値を算出する。
【００６６】
図８は本発明の実施の形態１に係るデジタルカラー複合機１において、ブック複製における、本の読み取り方法を説明する説明図である。
【００６７】
まず、ユーザは、見開きした状態の本を、表紙側が原稿台１１１を向けるように載置して、前記表表紙画像、背表紙画像及び裏表紙画像を含む表紙画像を読み取る（図８（Ａ１）及び（Ｂ１）参照）。
【００６８】
次いで、ユーザは、表表紙の見返し及び１頁が原稿台１１１を向けるように載置して、見開き画像を読み取る（図８（Ａ２）及び（Ｂ２）参照）。この際、表表紙の見返しを含む見開き画像が得られる。続いて、ユーザは、１頁ずつめくりながら、繰り返して見開き画像の読み取りを行う（図８（Ａ３）及び（Ｂ３）参照）。
【００６９】
最後に、ユーザは、裏表紙の見返し及び最後の頁が原稿台１１１を向けるように載置して、見開き画像を読み取る（図８（Ａ４）及び（Ｂ４）参照）。
【００７０】
このような、本の読み取りは、ユーザが、例えば、操作パネル１０３の前記表示部に表示されるガイドに従って行う。
【００７１】
また、このように、ブック複製における、本の読み取りが行われる際、印刷画像準備制御ユニット４４においては、所定の画像処理が実行される。図９及び図１０は本発明の実施の形態１に係るデジタルカラー複合機１において、本の読み取りの際、印刷画像準備制御ユニット４４で実行される画像処理を説明するフローチャートである。以下、説明の便宜上、ブック複製に係るモード（以下、ブック複製モードという）の場合を例として説明する。
【００７２】
ユーザによって本の読み取りが行われる場合、ＣＰＵは現在ブック複製モードであるか否かを判定する（ステップＳ１０１）。斯かる判定は、例えば、操作パネル１０３を介してユーザからブック複製モードの選択が受け付けられたか否か確認することにより行われる。
【００７３】
ＣＰＵは現在ブック複製モードでないと判定した場合（ステップＳ１０１：ＮＯ）、処理を終了する。一方、ＣＰＵは現在ブック複製モードであると判定した場合（ステップＳ１０１：ＹＥＳ）、開き方向での前記見開き画像の両辺縁間寸法（Ｌａ）を「０」に設定し、見開き面数（ｍ）を「０」に設定する（ステップＳ１０２）。ここで見開き面とは、図８の（Ａ２）〜（Ａ４）、又は、（Ｂ２）〜（Ｂ４）に示すように、本を読み取る際、斯かる２頁からなる面を言う。
【００７４】
図１１は開き方向における、見開き画像及び表紙画像の寸法を比較して示す図である。開き方向における、前記見開き画像の両辺縁間寸法（Ｌａ）は、表紙画像の両辺縁間寸法（Ｌｂ）より小さいことが見て取れる。
【００７５】
以降、本の読み取りが開始される。図８に示した順に従って、すなわち、操作パネル１０３の前記表示部に表示されるガイドに従ってユーザは本を原稿台１１１に載置し、該本の表紙画像及び見開き画像の読み取りが行われる。
【００７６】
この際、ＣＰＵは画像読取部１１０又はスキャナ制御ユニット４１を監視することにより、毎回画像読み取りが完了したか否かを判定する（ステップＳ１０３）。１回分の画像読み取りが完了していないと判定した場合（ステップＳ１０３：ＮＯ）、ＣＰＵは画像読み取りが完了するまで斯かる判定を繰り返して行う。
【００７７】
ＣＰＵは１回分の画像読み取りが完了したと判定した場合（ステップＳ１０３：ＹＥＳ）、読み取られた画像が表紙画像であるか否かを判定する（ステップＳ１０４）。例えば、操作パネル１０３の前記表示部に本の表紙側が原稿台１１１を向けるように載置する旨のガイドが表示された後に読み取られた画像をＣＰＵは表紙画像であると判定する。
【００７８】
ＣＰＵは、読み取られた画像が表紙画像であると判定した場合（ステップＳ１０４：ＹＥＳ）、読み取った表紙画像をハードディスク５０に格納し（ステップＳ１０５）、ステップＳ１０４へ処理を戻す。
【００７９】
一方、ＣＰＵは、読み取られた画像が表紙画像でないと判定した場合（ステップＳ１０４：ＮＯ）、すなわち、読み取られた画像が見開き画像である場合、前記見開き面数ｍに「ｍ＋１」を代入し、前記Ｌａに「Ｌａ＋Ｌａｍ」を代入する（ステップＳ１０６）。ここでＬａｍは、ｍ番目の見開き画像の両辺縁間寸法を示す。従って、本の見開き面の読み取りが繰り返されることにつれて、Ｌａの合計を得ることができる。
【００８０】
次いで、見返し取得部４４５は読み取られた見開き画像を開き方向にて２分して、前側の１頁分と、後側の１頁分との２つの画像を得る（ステップＳ１０７）。ここで、前側とは、読み取りの際の副走査方向において、原稿走査体１１３、１１４の移動が開始する側を言い、後側とは、前記副走査方向において、原稿走査体１１３、１１４の移動が終了する側を言う。
【００８１】
また、ＣＰＵは読み取りの対象になっている本が左開きか否かを判定する（ステップＳ１０８）。斯かる判定は、例えば、操作パネル１０３を介してユーザから左開きの選択が受け付けられたか否か確認することにより行われる。
【００８２】
左開きでないと判定された場合、すなわち、右開きであると判定された場合（ステップＳ１０８：ＮＯ）、見返し取得部４４５は、前記２つの画像のうち、前側の１頁分の画像を「２ｍ−１」頁画像としてハードディスク５０に格納する（ステップＳ１１１）。例えば、ｍが１である場合、すなわち、図８の（Ａ２）の場合は、この処理により、表見返し画像がハードディスク５０に格納される。
【００８３】
続いて、見返し取得部４４５は、前記２つの画像のうち、後側の１頁分の画像を「２ｍ」頁画像としてハードディスク５０に格納する（ステップＳ１１２）。
【００８４】
一方、左開きであると判定された場合（ステップＳ１０８：ＹＥＳ）、見返し取得部４４５は、前記２つの画像のうち、後側の１頁分の画像を「２ｍ−１」頁画像としてハードディスク５０に格納する（ステップＳ１０９）。例えば、ｍが１である場合、すなわち、図８の（Ｂ２）の場合は、この処理により、表見返し画像がハードディスク５０に格納される。
【００８５】
続いて、見返し取得部４４５は、前記２つの画像のうち、前側の１頁分の画像を「２ｍ」頁画像としてハードディスク５０に格納する（ステップＳ１１０）。
【００８６】
ステップＳ１１２又はステップＳ１１０の後、ＣＰＵは全ての読み取りが終了したか否かを判定する（ステップＳ１１３）。ＣＰＵは全ての読み取りが終了していないと判定した場合（ステップＳ１１３：ＮＯ）、処理をステップＳ１０３に戻す。
【００８７】
また、このような処理を繰り返すことにより、最後の見開き画像から裏見返し画像が得られ、ハードディスク５０に格納する。
【００８８】
一方、ＣＰＵにより全ての読み取りが終了したと判定された場合（ステップＳ１１３：ＹＥＳ）、平均値算出部４４７は、上述したように求められるＬａの合計を、全見開き面の数ｍにて割り算することにより、Ｌａの平均値（Ｌａａ）を算出する（ステップＳ１１４）。
【００８９】
次いで、演算部４４１は「Ｌａａ／２」値を演算する（ステップＳ１１５）。また、本発明はこれに限るものでない。例えば、全見開き画像の数のうち、真ん中の数に係る見開き画像のＬａを用いて斯かる１／２値を求めるように構成しても良い。
【００９０】
また、ＣＰＵは読み取りの対象になっている本が左開きか否かを判定する（ステップＳ１１６）。斯かる判定はステップＳ１０８と同様であり、詳しい説明を省略する。
【００９１】
左開きでないと判定された場合、すなわち、右開きであると判定された場合（ステップＳ１１６：ＮＯ）、表紙画像取得部４４２は、ハードディスク５０から前記表紙画像を読み出し、裏表紙画像を取得する（ステップＳ１２０）。より詳しくは、表紙画像取得部４４２は、斯かる表紙画像の前側の辺縁から「Ｌａａ／２」値に相当する範囲の画像を、斯かる表紙画像から抽出し、これを裏表紙画像としてハードディスク５０に格納する。
【００９２】
続いて、表紙画像取得部４４２は、表表紙画像を取得する（ステップＳ１２１）。より詳しくは、表紙画像取得部４４２は、斯かる表紙画像の後側の辺縁から「Ｌａａ／２」値に相当する範囲の画像を、斯かる表紙画像から抽出し、これを表表紙画像としてハードディスク５０に格納する。
【００９３】
また、表紙画像取得部４４２は、背表紙画像を取得する（ステップＳ１２２）。より詳しくは、表紙画像取得部４４２は、斯かる表紙画像から、前記表表紙画像及び裏表紙画像を省いた部分を背表紙画像としてハードディスク５０に格納する。
【００９４】
一方、左開きであると判定された場合（ステップＳ１１６：ＹＥＳ）、表紙画像取得部４４２は、ハードディスク５０から前記表紙画像を読み出し、表表紙画像を取得する（ステップＳ１１７）。より詳しくは、表紙画像取得部４４２は、斯かる表紙画像の前側の辺縁から「Ｌａａ／２」値に相当する範囲の画像を、斯かる表紙画像から抽出し、これを表表紙画像としてハードディスク５０に格納する。
【００９５】
続いて、表紙画像取得部４４２は、裏表紙画像を取得する（ステップＳ１１８）。より詳しくは、表紙画像取得部４４２は、斯かる表紙画像の後側の辺縁から「Ｌａａ／２」値に相当する範囲の画像を、斯かる表紙画像から抽出し、これを裏表紙画像としてハードディスク５０に格納する。
【００９６】
また、表紙画像取得部４４２は、背表紙画像を取得する（ステップＳ１１９）。より詳しくは、表紙画像取得部４４２は、斯かる表紙画像から、前記表表紙画像及び裏表紙画像を省いた部分を背表紙画像としてハードディスク５０に格納する。
【００９７】
図１２は本発明の実施の形態１に係るデジタルカラー複合機１において、本の読み取り完了後、印刷画像準備制御ユニット４４で実行される表紙画像に係る出力画像データの生成を説明するフローチャートである。図１３及び図１４は本発明の実施の形態１に係るデジタルカラー複合機１において、印刷画像準備制御ユニット４４で実行される表紙画像に係る出力画像データの生成を概念的に説明する説明図である。
【００９８】
説明の便宜上、図１３及び図１４を用い、ブック複製モードにおいて、表紙画像に係る出力画像データを生成する表紙モードの場合を例として説明する。
【００９９】
まず、ＣＰＵは現在ブック複製モードであるか否かを判定する（ステップＳ２０１）。斯かる判定は、例えば、操作パネル１０３を介してユーザからブック複製モードの選択が受け付けられたか否か確認することにより行われる。
【０１００】
ＣＰＵは現在ブック複製モードでないと判定した場合（ステップＳ２０１：ＮＯ）、処理を終了する。一方、ＣＰＵは現在ブック複製モードであると判定した場合（ステップＳ２０１：ＹＥＳ）、現在表紙モードであるか否かを判定する（ステップＳ２０２）。斯かる判定は、ステップＳ２０１の場合と同様、例えば、操作パネル１０３を介してユーザから表紙モードの選択が受け付けられたか否か確認することにより行われる。
【０１０１】
ＣＰＵによって現在表紙モードでないと判定された場合（ステップＳ２０２：ＮＯ）、処理は終了する。
【０１０２】
一方、ＣＰＵによって現在表紙モードであると判定された場合（ステップＳ２０２：ＹＥＳ）、表紙画像生成部４４４は、図１３（Ａ）に示すように、表側用の表紙用紙サイズの画像メモリを確保する（ステップＳ２０３）。
【０１０３】
次いで、表紙画像生成部４４４は、背表紙画像を含む表紙画像に係る出力画像データを生成する（ステップＳ２０４）。以下、表紙画像に係る出力画像データの生成について詳しく説明する。
【０１０４】
表紙画像生成部４４４は、ハードディスク５０に格納されている表表紙画像、背表紙画像及び裏表紙画像を読み出す。表紙画像生成部４４４は、これらを、表紙用紙サイズの画像メモリ（以下、単に画像メモリと言う。）へ、開き方向において間隔を置かず、該画像メモリの原点から該開き方向に沿って配置する（図１３（Ｂ）参照）。
【０１０５】
次いで、このように配置された表表紙画像、背表紙画像及び裏表紙画像を一体にして一つの画像（以下、第１集合画像と言う。）にした場合の該第１集合画像の中心が、前記画像メモリの中心と一致するように、表紙画像生成部４４４が前記第１集合画像を再配置する（図１３（Ｃ））。これによって、背表紙画像を含む表紙画像に係る出力画像データが生成される。
【０１０６】
次いで、表紙画像生成部４４４は、図１４（Ａ）に示すように、裏側用の表紙用紙サイズの画像メモリを確保する（ステップＳ２０５）。
【０１０７】
次いで、表紙画像生成部４４４は、隔てて配置された２つの見返しの画像に係る出力画像データを生成する（ステップＳ２０６）。以下、見返し画像に係る出力画像データの生成について詳しく説明する。
【０１０８】
表紙画像生成部４４４は、ハードディスク５０に格納されている表見返し画像及び裏見返し画像を読み出す。表紙画像生成部４４４は、前記画像メモリへ該画像メモリの原点に合わせて前記表見返し画像を配置する（図１４（Ｂ）参照）。また、表紙画像生成部４４４は、前記開き方向において、図１１に示す「Ｌｂ−Ｌａ」だけ隔てて、裏見返し画像を配置する。すなわち、表見返し画像及び裏見返し画像は、前記開き方向に沿って、「Ｌｂ−Ｌａ」だけ隔てて配置される（図１４（Ｂ）参照）。換言すれば、表見返し画像及び裏見返し画像は、前記開き方向における背表紙画像に係る寸法だけ隔てて、該開き方向に沿って配置される。
【０１０９】
次いで、このように配置された表見返し画像及び裏見返し画像を一体にして一つの画像（以下、第２集合画像と言う。）にした場合の該第２集合画像の中心が、前記画像メモリの中心と一致するように、表紙画像生成部４４４が前記第２集合画像を再配置する（図１４（Ｃ））。これによって、隔てて配置された２つの見返し画像に係る出力画像データが生成される。また、これによって、前記表紙画像及び斯かる見返し画像の中心が一致するように配置される。
【０１１０】
以上の処理によって、表紙画像に係る出力画像データが生成され、また、見返し画像に係る出力画像データが生成される。以降、これに基づいて、表紙の印刷が行われる。
【０１１１】
従って、複製が完了した場合、実物の本のように、表見返し画像及び裏見返し画像が、背表紙画像の寸法だけ隔てて配置された複製物が得られる。従って、実物の本のような感覚をユーザに与えることができると共に、見栄えを良くすることが出来る。
【０１１２】
（実施の形態２）
実施の形態１においては、表紙用紙の大きさに関わることなく、印刷画像準備制御ユニット４４にて表紙画像に係る出力画像データの生成が実行される場合を例として説明したが、本発明はこれに限るものでない。
【０１１３】
本発明の実施の形態２に係るデジタルカラー複合機１においては、表紙用紙の大きさに応じて、表紙画像に係る出力画像データの生成が異なるように構成されている。従って、一般に、表紙用紙の大きさは一定であるのに対し、前記背表紙画像の寸法は大幅に変化することから、斯かる背表紙画像の寸法が非常に大きい場合に適宜対応することができる。以下、詳しく説明する。
【０１１４】
図１５は本発明の実施の形態２に係るデジタルカラー複合機１において、本の読み取り完了後、印刷画像準備制御ユニット４４で実行される表紙画像に係る出力画像データの生成を説明するフローチャートである。
【０１１５】
また、図１６は表紙用紙及び定形用紙の大きさ関係を概念的に示す概念図である。図１６に示すように、見開きの画像に係る出力画像データの印刷に用いられる通常の定形用紙と、表紙画像に係る出力画像データの印刷に用いられる表紙用紙との間には、開き方向において、Ｌｘの差が存在する。
【０１１６】
更に、図１７及び図１８は本発明の実施の形態２に係るデジタルカラー複合機１において、印刷画像準備制御ユニット４４で実行される表紙画像に係る出力画像データの生成を概念的に説明する説明図である。
【０１１７】
説明の便宜上、図１６〜図１８を用い、ブック複製モードにおいて、表紙画像に係る出力画像データを生成する表紙モードの場合を例として説明する。
【０１１８】
まず、ＣＰＵは現在ブック複製モードであるか否かを判定する（ステップＳ３０１）。ＣＰＵは現在ブック複製モードでないと判定した場合（ステップＳ３０１：ＮＯ）、処理を終了する。
【０１１９】
一方、ＣＰＵは現在ブック複製モードであると判定した場合（ステップＳ３０１：ＹＥＳ）、現在表紙モードであるか否かを判定する（ステップＳ３０２）。斯かる判定方法についてはすでに説明しており、詳しい説明を省略する。
【０１２０】
ＣＰＵによって現在表紙モードでないと判定された場合（ステップＳ３０２：ＮＯ）、処理は終了する。一方、ＣＰＵは、現在表紙モードであると判定した場合（ステップＳ３０２：ＹＥＳ）、「Ｌｘ」が「Ｌｂ−Ｌａ」以上であるか否かを判定する（ステップＳ３０３）。換言すれば、ＣＰＵは、開き方向における表紙用紙の大きさが、背表紙画像を含む表紙画像に対応しているか否かを判定する。
【０１２１】
ＣＰＵは「Ｌｘ」が「Ｌｂ−Ｌａ」以上であると判定した場合（ステップＳ３０３：ＹＥＳ）、ステップＳ３０４からステップＳ３０７までの処理が実行される。ステップＳ３０４からステップＳ３０７までの処理は、図１２のステップＳ２０３からステップＳ２０６までの処理と同様であり、詳しい説明を省略する。
【０１２２】
一方ＣＰＵによって、「Ｌｘ」が「Ｌｂ−Ｌａ」以上でないと判定された場合（ステップＳ３０３：ＮＯ）、表紙画像生成部４４４は、図１７（Ａ）に示すように、表側用の表紙用紙サイズの画像メモリを確保する（ステップＳ３０８）。
【０１２３】
次いで、表紙画像生成部４４４は、背表紙画像を省いた表紙画像に係る出力画像データを生成する（ステップＳ３０９）。以下、背表紙画像を省いた表紙画像に係る出力画像データの生成について詳しく説明する。
【０１２４】
表紙画像生成部４４４は、ハードディスク５０に格納されている表表紙画像及び裏表紙画像のみを読み出す。表紙画像生成部４４４は、これらを、表紙用紙サイズの画像メモリ（以下、単に画像メモリと言う。）へ、開き方向において間隔を置かず、該画像メモリの原点から該開き方向に沿って配置する（図１７（Ｂ）参照）。
【０１２５】
次いで、このように配置された表表紙画像及び裏表紙画像を一体にして一つの画像にした第１集合画像の中心が、前記画像メモリの中心と一致するように、表紙画像生成部４４４が前記第１集合画像を再配置する（図１７（Ｃ））。これによって、背表紙画像を省いた表紙画像に係る出力画像データが生成される。
【０１２６】
次いで、表紙画像生成部４４４は、図１８（Ａ）に示すように、裏側用の表紙用紙サイズの画像メモリを確保する（ステップＳ３１０）。
【０１２７】
次いで、表紙画像生成部４４４は、繋いで配置された２つの見返しの画像に係る出力画像データを生成する（ステップＳ３１１）。以下、繋いで配置された２つの見返し画像に係る出力画像データの生成について詳しく説明する。
【０１２８】
表紙画像生成部４４４は、ハードディスク５０に格納されている表見返し画像及び裏見返し画像を読み出す。表紙画像生成部４４４は、前記画像メモリへ該画像メモリの原点に合わせて前記表見返し画像を配置する（図１８（Ｂ）参照）。また、表紙画像生成部４４４は、前記開き方向において、表見返し画像に繋いで裏見返し画像を配置する。すなわち、表見返し画像及び裏見返し画像は、前記開き方向に沿って、間隔を開けずに、配置される（図１８（Ｂ）参照）。
【０１２９】
次いで、このように配置された表見返し画像及び裏見返し画像を一体にして一つの画像にした第２集合画像の中心が、前記画像メモリの中心と一致するように、表紙画像生成部４４４が前記第２集合画像を再配置する（図１８（Ｃ））。これによって、見返し画像に係る出力画像データが生成される。また、これによって、前記表紙画像及び斯かる見返し画像の中心が一致するように配置される。
【０１３０】
以降、このように生成された出力画像データに基づいて印刷が行われ、複製が完了した場合、実施の形態１と同様、実物の本のような感覚をユーザに与えることができると共に、見栄えを良くすることが出来る。
【０１３１】
実施の形態１と同様の部分については、同一の符号を付して詳細な説明を省略する。
【０１３２】
本発明の実施態様１においては、見開きした書籍の表表紙、背表紙及び裏表紙を含む表紙画像と、見開きした書籍の見開き画像とを読み取り、印刷出力に係る出力画像データを生成する画像生成装置４４において、開き方向での前記見開き画像の両辺縁間寸法の１／２値を演算する演算手段４４１と、開き方向での前記表紙画像の両辺縁から前記１／２値までの画像を各々抽出して、表表紙画像及び裏表紙画像を取得する表紙画像取得手段４４２とを備えることを特徴とする。
【０１３３】
本発明によれば、前記演算手段が開き方向での前記見開き画像の両辺縁間寸法の１／２値を演算し、前記表紙画像取得手段が開き方向での前記表紙画像の両辺縁から前記１／２値までの画像を各々抽出して、表表紙画像及び裏表紙画像として取得する。
【０１３４】
本発明の実施態様２においては、前記表紙画像取得手段４４２は、前記表紙画像から前記表表紙画像及び裏表紙画像を除いて背表紙画像を取得するように構成されていることを特徴とする。
【０１３５】
本発明によれば、前記表紙画像取得手段は、前記表紙画像のうち、前記表表紙画像及び裏表紙画像を省いた部分を、背表紙画像として取得する。
【０１３６】
本発明の実施態様３においては、前記表紙画像を印刷出力すべきシートの大きさを記憶する記憶部５０と、前記シートの大きさ及び見開き方向での前記背表紙画像の寸法に基づいて、前記背表紙画像の要否を判定する判定手段４４３と、該判定手段４４３の判定結果に基づき、前記表紙画像に係る出力画像データを生成する表紙画像生成手段４４４とを備えることを特徴とする。
【０１３７】
本発明によれば、例えば、前記判定手段によって、前記背表紙画像が不要であると判定された場合、前記表紙画像生成手段は、前記背表紙画像を省いて前記表紙画像に係る出力画像データを生成する。
【０１３８】
本発明の実施態様４においては、表表紙の見返しを含む見開き画像、及び、裏表紙の見返しを含む見開き画像を見開き方向にて二分して、表表紙の見返し及び裏表紙の見返しの画像を取得する見返し取得手段４４５と、前記判定手段４４３が前記背表紙画像を必要であると判断した場合、前記背表紙画像の寸法だけ２つの前記見返しの画像を該見開き方向に隔てて、見返しの画像に係る出力画像データを生成する見返し画像生成手段４４６とを備えることを特徴とする。
【０１３９】
本発明によれば、前記見返し取得手段によって表表紙の見返し及び裏表紙の見返しの画像が取得され、前記判定手段が前記背表紙画像を必要であると判断した場合は、前記見返し画像生成手段が、前記表表紙の見返し及び裏表紙の見返しの画像を、前記背表紙画像の寸法だけ、前記見開き方向に隔てて、斯かる見返しの画像に係る出力画像データを生成する。
【０１４０】
本発明の実施態様５においては、前記判定手段４４３が前記背表紙画像を不要であると判断した場合、前記見返し画像生成手段４４６は２つの前記見返しの画像を見開き方向にて繋いで、見返しの画像に係る出力画像データを生成するように構成されていることを特徴とする。
【０１４１】
本発明によれば、前記判定手段が前記背表紙画像を不要であると判断した場合、前記見返し画像生成手段は前記表表紙の見返し及び裏表紙の見返しの画像を見開き方向にて繋いで、斯かる見返しの画像に係る出力画像データを生成する。
【０１４２】
本発明の実施態様６においては、見開き画像の読み取りが複数回行なわれた場合、読み取られた複数の見開き画像に対して前記１／２値の平均値を算出する平均値算出手段４４７を備えることを特徴とする。
【０１４３】
本発明によれば、例えば、対象たる本が複数頁であるので見開き画像の読み取りが複数回行なわれ、複数の前記１／２値が得られた場合、前記平均値算出手段は読み取られた複数の見開き画像に対して前記１／２値の平均値を算出する。
【０１４４】
本発明の実施態様７においては、前述の発明の何れか一つに記載の画像生成装置４４と、該画像生成装置４４によって、生成された出力画像データに基づいて、シート上に画像を出力する画像出力部２１０とを備えることを特徴とする。
【０１４５】
本発明によれば、該画像生成装置によって所定の出力画像データが生成された場合、前記画像出力部は生成された出力画像データに基づく画像を印刷出力用のシート上に出力する。
【０１４６】
本発明の実施態様８においては、見開きした書籍の表表紙、背表紙及び裏表紙を含む表紙画像と、見開きした書籍の見開き画像とを読み取り、印刷出力に係る出力画像データを生成する画像生成装置４４にて、該印刷出力すべき画像を収得する画像取得方法において、開き方向での前記見開き画像の両辺縁間寸法の１／２値を演算するステップと、開き方向での前記表紙画像の両辺縁から前記１／２値までの画像を各々抽出して、表表紙画像及び裏表紙画像を取得するステップとを含むことを特徴とする。
【０１４７】
本発明によれば、開き方向での前記見開き画像の両辺縁間寸法の１／２値が演算され、該開き方向での前記表紙画像の両辺縁から前記１／２値までの画像が各々抽出されて、表表紙画像及び裏表紙画像として取得される。
【符号の説明】
【０１４８】
１  デジタルカラー複合機
４４  印刷画像準備制御ユニット
５０  ハードディスク
２１０  画像出力部
４４１  演算部
４４２  表紙画像取得部
４４３  判定部
４４４  表紙画像生成部
４４５  見返し取得部
４４６  見返し画像生成部
４４７  平均値算出部
【図１】
2016005096.tif 000003
【図２】
2016005096.tif 000004
【図３】
2016005096.tif 000005
【図４】
2016005096.tif 000006
【図５】
2016005096.tif 000007
【図６】
2016005096.tif 000008
【図７】
2016005096.tif 000009
【図８】
2016005096.tif 000010
【図９】
2016005096.tif 000011
【図１０】
2016005096.tif 000012
【図１１】
2016005096.tif 000013
【図１２】
2016005096.tif 000014
【図１３】
2016005096.tif 000015
【図１４】
2016005096.tif 000016
【図１５】
2016005096.tif 000017
【図１６】
2016005096.tif 000018
【図１７】
2016005096.tif 000019
【図１８】
2016005096.tif 000020